(57)【要約】  本発明の対象は、吊下げまたは収納手段（１）を流し（８、９、１０）に取り付けるためのアタッチメントアセンブリ（２、３）を備える、流しに取り付け可能な吊下げまたは収納手段である。アタッチメントアセンブリは、吊下げまたは収納手段（１）に結合されたアタッチメントマグネット（２）と、流し（８）または水溜め（９）の裏側に取り付け可能な別のカウンターマグネット（３）とを備える。マグネット（２、３）の相互吸引力は、吊下げまたは収納手段（１）が流し（８）の上面に、または水溜め（９）の垂直壁（１０）の内面に、流し（８）または水溜め（９）の壁材（１０）を介して着脱可能であるように設計されている。本発明は、布巾など、台所の流しに係わる種々の機器や付属品の吊下げおよび収納を容易にする。
2009540163.tif 000002
【特許請求の範囲】
【請求項１】
流しへ取り付け可能な吊下げまたは収納手段であって、前記吊下げまたは収納手段（１）を流し（８、９、１０）に取り付けるためのアタッチメントアセンブリ（２、３）を備え、前記アタッチメントアセンブリは、前記吊下げまたは収納手段（１）に結合されたアタッチメントマグネット（２）と、前記流し（８）または水溜め（９）の背面に取り付け可能な別のカウンターマグネット（３）とを備え、前記マグネット（２、３）の相互吸引力が、前記吊下げまたは収納手段（１）を、前記流し（８）または水溜め（９）の壁材料を介して、前記流し（８）の上面へまたは前記水溜め（９）の垂直壁（１０）の内面へ着脱可能とするように設計されていることを特徴とする、吊下げまたは収納手段。
【請求項２】
前記アタッチメントマグネット（２）が、前記吊下げまたは収納手段（１）の一部分となるように、または前記吊下げまたは収納手段（１）を取り外し再取り付け可能に取り付け可能なホルダ（１２）の一部分となるように固定されていることを特徴とする請求項１に記載の吊下げまたは収納手段。
【請求項３】
前記カウンターマグネット（３）が、前記カウンターマグネット（３）を前記流し（８）または水溜め（９）の裏側の所望の位置へ取り付ける接着剤（６）を備えていることを特徴とする請求項１または２に記載の吊下げまたは収納手段。
【請求項４】
流しまたは水溜めの表面の擦り傷を防ぐため、前記アタッチメントマグネット（２）の表面に保護フィルム（５）が設けられていることを特徴とする請求項１ないし３のいずれかに記載の吊下げまたは収納手段。
【請求項５】
前記吊下げまたは収納手段（１）が真っすぐなまたは曲がった棒であり、その一端または両端に、または両端の近傍に、アタッチメントマグネット（２）が設けられていることを特徴とする請求項１ないし４のいずれかに記載の吊下げまたは収納手段。
【請求項６】
前記棒状の吊下げまたは収納手段（１）が一端のみにおいて取り付けられ、他端が自由端であることを特徴とする請求項５に記載の吊下げまたは収納手段。
【請求項７】
少なくとの２個のアタッチメントマグネット（２）が前記棒状の吊下げまたは収納手段（１）の同じ端において互いに隣接し、少なくとも２個のカウンターマグネット（３）が対応して前記流し（８）または水溜め（９）の壁（１０）の反対側に互いに隣接していることを特徴とする請求項１ないし６のいずれかに記載の吊下げまたは収納手段。
【請求項８】
前記棒状の吊下げまたは収納手段（１）がアーチまたはハンドルの形であり、前記アタッチメントマグネット（２）の取り付け面は、その対向端において同一平面上にあるか、または本質的に互いに９０度であることを特徴とする請求項１ないし７のいずれかに記載の吊下げまたは収納手段。
【請求項９】
前記アタッチメントマグネット（２）が、ゴムまたは類似の高摩擦材料（５）によって被覆されていることを特徴とする請求項１ないし８のいずれかに記載の吊下げまたは収納手段。
【請求項１０】
収納手段が、底部にアタッチメントマグネット（２）を有する容器（１’、１”）であることを特徴とする請求項１ないし９のいずれかに記載の吊下げまたは収納手段。
【請求項１１】
前記棒状の吊下げまたは収納手段（１）が棒状の関節式レバーであって、前記レバーがその関節軸（１１、１ａ、１１ａ）の周りに回転して位置を変えることができることを特徴とする請求項１ないし９のいずれかに記載の吊下げまたは収納手段。
【請求項１２】
ジョイントホルダ（１２）内に数個のアタッチメントマグネット（２）が設けられており、対応的にジョイントカウンターホルダ（１３）内に数個のカウンターマグネット（３）が設けられていることを特徴とする請求項１ないし１１のいずれかに記載の吊下げまたは収納手段。
【請求項１３】
２個以上のカウンターマグネット（３）が中間支持部材（１４）に固定され、前記中間支持部材（１４）が一体構造として前記カウンターマグネット（３）を互いに隔てていることを特徴とする請求項１ないし１１のいずれかに記載の吊下げまたは収納手段。
【請求項１４】
１個以上のアタッチメントマグネット（２）が水密ケーシング（４、５；１２）に配置されていることを特徴とする請求項１ないし１３のいずれかに記載の吊下げまたは収納手段。
【請求項１５】
前記吊下げまたは収納手段（１、１’、１”）が、布巾を掛けるためのバー、皿洗いブラシをかけるためのバーまたはフック、洗浄液を入れるポンプ式容器、食品用のざる、刃物乾燥用ラック、またはカップ状の皿であって、その側面にアタッチメントマグネット（２）が設けられていることを特徴とする請求項１ないし１４のいずれかに記載の吊下げまたは収納手段。
【発明の詳細な説明】
【技術分野】
【０００１】
本発明は、吊下げまたは収納手段を流しに取り付けるためのアタッチメントアセンブリを備える、流しに取り付け可能な吊下げまたは収納手段に関する。
【背景技術】
【０００２】
流しに係わる特に布巾の収納には問題が多い。例えば、布巾を蛇口の上に置くと見苦しく、水の供給源としての蛇口の使用を妨げ、流しの中に落ちて濡れる可能性があり、そうなれば不衛生である。布巾を収納するため、吸盤によって流しに固定される種々のラックや収納バー（米国特許５，１２６，１２３号）が提案されている。しかし、そのようなラックやバーの固定と固定状態の維持とには問題が多い。流しとの関係におけるそれらの設計と配置の可能性は、必ずしも考えられる最良なものではない。流しの上や周囲における作業には、その他多くの付属品や機器が係わり、それらを着脱可能に流しに取り付けることができれば、それらの使用は容易になるであろう。実際、機能的な取り付けの解決策を見出すことができれば、新たな種類の付属品や器具の開発が可能になるだろう。
【発明の概要】
【０００３】
本発明の目的は、上記問題を解決し、流し上の任意の所望の位置に容易に取り付け可能であって、また容易に取り外しおよび再取り付け可能である、上記タイプの吊下げまたは収納手段を提供することである。
【０００４】
この目的は、付属の請求項１に開示した特徴に基づき、本発明によって達成される。従属請求項は、本発明の好ましい実施の形態を開示する。
【０００５】
本発明によるアタッチメントマグネットとカウンターマグネットとを流しの壁の両側に用いた取り付けは、種々の用途に関して吊下げまたは収納手段の取り付け位置と設計の自由な選択を可能にする。設計と材料選択においては、吊下げまたは収納手段の設計を流しの設計に合致させるように美的な面も考慮することができる。本発明によるマグネットによる取り付けの特別な利点は、取外した後、吊下げまたは収納手段が、使用者が望んで当初選んだ正しい取り付け位置へ自動的に案内され、その後必要ならば変更可能なことである。
【発明を実施するための形態】
【０００６】
本発明を、添付の図面を参照して以下詳細に説明する。
【０００７】
図１は、主として垂直壁１０を有する水溜め９を有する、例えばステンレス鋼製の流し（シンク）８を示す。流しと水溜めとの寸法とデザインとは、様々に変更することができる。図１は、５個の異なる吊下げまたは収納手段１を示し、これらすべてに共通の特徴は、棒状であって、本発明のアタッチメントアセンブリ２，３を用いて台所の流し８または水溜め９の壁１０に取り付けられていることである。このアタッチメントアセンブリは、吊下げまたは収納手段１に結合されたアタッチメントマグネット２を有する。別のカウンターマグネット３が、流し８または水溜め９の裏側に取り付け可能である。カウンターマグネット３をより持続的に確実に取り付けるため、両面テープまたは糊など接着剤を用いることができるが、そのようにしても依然としてマグネット３の取り付け位置は必要に応じて変更可能である。マグネット２、３の相互吸引力は、吊下げまたは収納手段１が壁材１０を介して着脱可能となるように設計されている。吊下げまたは収納手段１は、流し８の上面または水溜め９の垂直壁１０の内面に、任意に位置決めすることができる。
【０００８】
図１はまた、円筒形の容器としての収納手段１’を示し、その底部にはアタッチメントマグネット２が埋め込まれている。この収納容器１’は、ペーパータオル用、テーブルナプキン用、または刃物類乾燥用とすることができる。
【０００９】
実際には、アタッチメントマグネット２は、例えばそれをケーシング４内に配置し、このケーシングを吊下げまたは収納手段１に固定的に結合して、吊下げまたは収納手段１の一部分となるように固定することが好ましい場合がよくある。アタッチメントマグネット２の表面には、流しまたは水溜めの表面に擦り傷を付けないように、保護フィルム５を設けるのが好ましい。この保護フィルム５は、吊下げまたは収納手段１が、負荷が掛っても定位置に留まり易くする、ゴムまたは類似の高摩擦材料であることが好ましい。アタッチメントマグネット２は、水密ケーシング内に完全に封入されていることが好ましく、これによって腐食の問題を回避し、構造を衛生的にすることができる。カウンターマグネットも封入することができる。
【００１０】
棒状の吊下げ手段１は、アーチ形またはハンドル形とすることができ、アタッチメントマグネット２の取り付け面は、その対向端において同一平面上にあるか、または実質的に互いに９０度とすることができる。アタッチメントマグネットの取り付け面は、典型的には平面的であるが、水溜め９のコーナーまたは丸い流しの曲率に対応して曲面とすることができる。
【００１１】
図示の実施の形態において、吊下げまたは収納手段１は真っすぐまたは曲がった棒であり、その一端または両端に、または両端の近傍に、アタッチメントマグネット２がある。図１に示したいくつかの変更例において、棒状の吊下げまたは収納手段１は、一端のみにおいて取り付けられ、他端は自由端である。そのような場合、棒状の吊下げまたは収納手段１の同じ端に少なくとも２個のアッタッチメントマグネット２を互いに近接配置し、流し８または水溜め９の壁１０の裏側に、少なくとも２個のカウンターマグネット３を対応して互いに近接配置することが好ましい。図３は、２個のアタッチメントマグネット２を有するホルダを示す。図４では、マグネット２の中心孔にネジ７を通し、バー１の端にアタッチメントマグネット２を固定している。マグネット２は保護フィルム５によって被覆され、このフィルムがネジ７を被覆している。
【００１２】
図５は、ジョイントホルダ１２に埋め込まれた３個のアタッチメントマグネットを示す。前記ジョイントホルダ１２からは、ピンが突出し、このピンには孔１１ａがあいている。この孔は、交換可能な回転吊下げバーの取り付け孔である。回転吊下げバーの端は曲げられてピボット軸１ａとなっている。図６は、図５に示したアタッチメントマグネット構成のためのカウンターマグネット構成を示す。カウンターマグネット３は、ホルダ１２におけるマグネット１２と同じ位置に同じ間隔で、カウンターホルダ１３に固定されている。図５と図６の実施の形態は、同じホルダ１２に対して種々の形状と寸法の吊下げまたは収納手段を変更することができる故、有利である。ホルダ１２と１３とは、内部にマグネット２と３とを配置して水密とすることができる。
【００１３】
図７は、２個以上のカウンターマグネット３を、互いに間隔をあけ、中間支持部材１４を用いて一体にする結合方法を示す。この場合、カウンターマグネット３を、水溜め９の壁１０の背面に接着剤を用いて固定する必要は必ずしもない。マグネット３が万一それらの位置から落下すれば、容易に発見され、単一構成要素として、所望の位置へ容易に再度取り付けることができる。
【００１４】
図８は更に、洗浄液の収納手段１”を取り付けるための応用を示す。例えばステンレス鋼製のポンプ式容器１”（洗浄液を再充填可能）を流し８の所望の位置に取り付けて、洗浄液が直接水溜めへ押し出されるようにすることができる。
【００１５】
上記の例から明らかなように、本発明は台所の流しまたはその水溜めに、様々に異なる吊下げまたは収納手段を取り付けることに適している。本明細書に開示しない他の例は、食品を取扱うため水溜め９の垂直壁に取り付け可能なシーブ（ざる）、または例えば卵を冷やすためのカップである。従って、「吊下げまたは収納手段」という語は、台所の流しにおいて行われる作業に係わるあらゆる種類の付属品や器具を網羅するように広く解釈すべきである。本発明による取り付け装置に関して、上記の他に更に多くの応用が発見可能であることは明らかであり、本発明は、取り付け可能な吊下げまたは収納手段の設計や使用意図に関して、いかなる様式においても制限されない。
【図面の簡単な説明】
【００１６】
【図１】図１は、流しに取り付けた種々の吊下げまたは収納手段の平面図を示す。図面では、６種類の異なる吊下げまたは収納手段を示している。更に種々の異なる設計が可能である。実際には、一つの流しには唯一つの、あるいは好ましくは数個の、吊下げまたは収納手段があれば足りる。
【図２】図２は、台所の流しまたは水溜め壁１０に係わる、本発明による吊下げまたは収納手段のアタッチメントアセンブリの拡大断面図を示す。
【図３】図３、４、５、６および７は、前記アタッチメントアセンブリの異なる実施の形態を示す。
【図４】図３、４、５、６および７は、前記アタッチメントアセンブリの異なる実施の形態を示す。
【図５】図３、４、５、６および７は、前記アタッチメントアセンブリの異なる実施の形態を示す。
【図６】図３、４、５、６および７は、前記アタッチメントアセンブリの異なる実施の形態を示す。
【図７】図３、４、５、６および７は、前記アタッチメントアセンブリの異なる実施の形態を示す。
【図８】図８は、本発明の一実施の形態による吊下げまたは収納手段を示す。
【図１】
2009540163.tif 000003
【図２】
2009540163.tif 000004
【図３】
2009540163.tif 000005
【図４】
2009540163.tif 000006
【図５】
2009540163.tif 000007
【図６】
2009540163.tif 000008
【図７】
2009540163.tif 000009
【図８】
2009540163.tif 000010
【国際調査報告】
2009540163.tif 000011
2009540163.tif 000012
2009540163.tif 000013